(57)【要約】【課題】    光源の透過率及び表示のカラーレベルを有効に向上できるばかりでなく、製造工程も有効に簡易化できかつ製品歩留りも向上できる有機電界発光表示装置を提供する。【解決手段】    主として、第１カラーフィルタの第１フォトレジストと、第２フォトレジストと、第４フォトレジストとの垂直延長位置の上部に、第１光源を発生する第１有機発光ユニットが設けられ、第２フォトレジストと、第３フォトレジストと、第４フォトレジストとの垂直延長位置の上部に、第２光源を発生する第２有機発光ユニットが形成され、かつ第２フォトレジスト及び第４フォトレジストの垂直延長位置の上部に、第３光源を発生する第１有機発光ユニット及び第２有機発光ユニットが積層されている。これにより、第１光源と、第２光源と、第３光源とを第１カラーフィルタで透過、濾過、混合させることでフルカラー表示の目的が達成される。【選択図】    図2
2007073497.tif 000002
【特許請求の範囲】
【請求項１】
主要構造が
基板と、
前記基板上に設置され、少なくとも一つの第１フォトレジストと、少なくとも一つの第２フォトレジストと、少なくとも一つの第３フォトレジストと、少なくとも一つの第４フォトレジストとを含む第１カラーフィルタと、
前記第１カラーフィルタの一部表面に設置された第１電極と、
前記第１フォトレジストと第２フォトレジストと第４フォトレジストとの垂直延長位置の上部に設置された前記第１有機発光ユニットと、前記第２フォトレジストと第３フォトレジストと第４フォトレジストとの垂直延長位置の上部に設置された前記第２有機発光ユニットと、を含みかつそれらのうちの前記第４フォトレジストが、透光部及び空洞部のうちの一つを選ぶことができる少なくとも一つの有機発光ユニットと、
前記有機発光ユニットの表面に設置された第２電極と、を含む表示のカラーレベル向上可能の有機電界発光表示装置。
【請求項２】
前記第１有機発光ユニット及び第２有機発光ユニットの設置順序は、交換することができることを特徴とする請求項１に記載の有機電界発光表示装置。
【請求項３】
前記第１有機発光ユニットは、第１フォトレジストと、第２フォトレジストと、第４フォトレジストとの垂直延長位置の上部に固設する外に、さらに、第３フォトレジストの垂直延長位置まで延長させることができることを特徴とする請求項１に記載の有機電界発光表示装置。
【請求項４】
さらに、前記基板の一部表面に固設されて、前記有機発光ユニットの被覆用とすることができるパッキンカバーを含み、パッキンカバーのボトム層には第２カラーフィルタが設けられてあることを特徴とする請求項１に記載の有機電界発光表示装置。
【請求項５】
前記基板の一部表面に、さらに少なくとも一つの薄膜トランジスタが設けられ、前記薄膜トランジスタ及び前記基板の上方には絶縁層と前記第１電極とをこの順序に設置し、かつ前記第１フォトレジストと、第２フォトレジストと、第３フォトレジストと、第４フォトレジストとを、前記絶縁層の内部に設置したことを特徴とする請求項１に記載の有機電界発光表示装置。
【請求項６】
前記第１カラーフィルタの一部表面に、さらに少なくとも一つの薄膜トランジスタが設けられてあり、かつ前記薄膜トランジスタ及び前記第１カラーフィルタの上方には絶縁層と前記第１電極とをこの順序に設けたことを特徴とする請求項１に記載の有機電界発光表示装置。
【請求項７】
前記第１有機発光ユニット及び第２有機発光ユニットが、選択的に単層型有機発光ユニットと、複数層積層型有機発光ユニットと、ドープト型有機発光ユニットのうちの一つとすることができることを特徴とする請求項１に記載の有機電界発光表示装置。
【請求項８】
前記第１有機発光ユニット及び第２有機発光ユニットは、それぞれを選択的に正孔注入層と、正孔輸送層と、有機発光層と、電子輸送層と、電子注入層及びその組み合わせ式のうちの一つを含ませることができることを特徴とする請求項１に記載の有機電界発光表示装置。
【請求項９】
前記第１フォトレジストと、第２フォトレジストと、第３フォトレジストと、第４フォトレジストとは、マトリクス方式で配列されていることを特徴とする請求項１に記載の有機電界発光表示装置。
【請求項１０】
前記第２フォトレジストの垂直延長位置の上に、第３有機発光ユニットが設置されていることを特徴とする請求項１に記載の有機電界発光表示装置。
【請求項１１】
主要構造が
基板と、
前記基板上に設置され、少なくとも一つの第１フォトレジストと、少なくとも一つの第２フォトレジストと、少なくとも一つの第３フォトレジストと、少なくとも一つの第４フォトレジストとを含む第１カラーフィルタと、
前記第１カラーフィルタの一部表面に設置された第１電極と、
前記第１フォトレジストと第２フォトレジストと第３フォトレジストと第４フォトレジストとの垂直延長位置に設置された前記第１有機発光ユニットと、前記第３フォトレジストと第４フォトレジストとの垂直延長位置に設置された前記第２有機発光ユニットと、を含みかつそれらのうちの前記第４フォトレジストが、透光部及び空洞部のうちの一つを選ぶことができる少なくとも一つの有機発光ユニットと、
前記有機発光ユニットの表面に設置された第２電極と、を含む表示のカラーレベル向上可能の有機電界発光表示装置。
【請求項１２】
主要構造が
基板と、
前記基板上に設置され、少なくとも一つの第１フォトレジストと、少なくとも一つの第２フォトレジストと、少なくとも一つの第３フォトレジストと、少なくとも一つの第４フォトレジストとを含む第１カラーフィルタと、
前記第１カラーフィルタの一部表面に設置された第１電極と、
前記第１フォトレジストと第４フォトレジストとの垂直延長位置に設置された前記第１有機発光ユニットと、前記第２フォトレジストと第３フォトレジストと第４フォトレジストとの垂直延長位置に設置された前記第２有機発光ユニットと、を含みかつ前記第４フォトレジストは、透光部及び空洞部のうちの一つを選ぶことができる少なくとも一つの有機発光ユニットと、
前記有機発光ユニットの表面に設置された第２電極と、を含む表示のカラーレベル向上可能の有機電界発光表示装置。
【請求項１３】
主要構造が
基板と、
前記第１カラーフィルタの一部表面に設置された第１電極と、
前記第１電極の表面に設置され、第１有機発光ユニットと、第２有機発光ユニットとを含む少なくとも一つの有機発光ユニットと、
前記有機発光ユニットの表面に設置された第２電極と、
前記基板の一部表面に固設されて前記有機発光ユニットを覆うパッキンカバーと、
前記パッキンカバーのボトムに設置され、少なくとも一つの第１フォトレジストと、少なくとも一つの第２フォトレジストと、少なくとも一つの第３フォトレジストと、少なくとも一つの第４フォトレジストとを含み、かつ前記第１有機発光ユニットが、第１フォトレジストと、前記第４フォトレジストとの垂直に下向き延長した位置に設置され、前記第２有機発光ユニットが、前記第２フォトレジストと、第３フォトレジストと、第４フォトレジストとの垂直に下向き延長した位置に設置されかつ前記第４フォトレジストが、透光部及び空洞部のうちの一つを選ぶことができる第２カラーフィルタと、を含む表示のカラーレベル向上可能の有機電界発光表示装置。
【請求項１４】
さらに、前記基板と前記第１電極との間に位置する第１カラーフィルタを含み、かつ前記第１カラーフィルタが、少なくとも一つの第１フォトレジストと、少なくとも一つの第２フォトレジストと、少なくとも一つの第３フォトレジストと、少なくとも一つの第４フォトレジストとを含むことを特徴とする請求項１３に記載の有機電界発光表示装置。
【発明の詳細な説明】
【技術分野】
【０００１】
本発明は、表示のカラーレベル向上可能の有機電界発光表示装置に関する。特に、光源の透過率及び表示のカラーレベルを有効に向上できるばかりでなく、製造工程も有効に簡易化できかつ製品歩留りも向上できる有機電界発光表示装置に関する。
【背景技術】
【０００２】
数ある表示器のなかで、如何にしてフルカラー効果を具備させるかの技術は、往往にして当該表示器の発展が成功するか否かの鍵となる。有機電界発光表示装置（ＯＬＥＤ）について言えば、最もよく見られるフルカラー機能実現の方法には、下記の２種類がある。
その一つが、独立の画素で三原色のカラーを放射させることである。すなわち、赤（Ｒ）、緑（Ｇ）、青（Ｂ）の三原色のカラーを放射できる有機電界発光素子を独立して設置しかつこの３種のカラーを適当な割合に混合してフルカラーの表示効果を生じさせる方法である。
しかしながら、この方法で有機電界発光表示装置を製作する場合、多数回の蒸着及びマスキング工程を経た異なるカラーの有機発光ユニットを必要とすることになる。これでは、製造工程が複雑となる。また、蒸着あるいはマスク合わせする際の位置決め精度に対する要求も相対的に厳しくなるので、製品歩留りがこのためにさらに低減し易く、製造コストも相対的に増大することになる。
もう一つの方法は、カラーフィルタを利用することである。すなわち、少なくとも一つの白色光源の有機電界発光素子を技術が既に熟成したカラーフィルタと組み合わせて使用することにより、カラーフィルタで白色光源の光濾過の目的を達成すると共に、これによってしてフルカラーの表示効果を実現させる方法である。
【０００３】
一般にカラーフィルタを利用して光濾過を行う有機電界発光表示装置では、図１に示すように、カラーフィルタ１０は、主として基板１１の上にブラックマトリクス１３が設置され、かつブラックマトリクス１３が設けられていない基板１１の上表面には、光濾過機能を有するカラーフィルタ層１５とが設けられてある。このカラーフィルタ層１５は、第１フォトレジスト１５１（Ｇ）と、第２フォトレジスト１５３（Ｂ）と、第３フォトレジスト１５５（Ｒ）とを含む。また、ブラックマトリクス１３及びカラーフィルタ層１５の上方には、さらに、後に続く工程が有利になされるように平坦化層（ｏｖｅｒ ｃｏａｔ）１７あるいはバリア層が選択的に設けられてある。
【０００４】
また、有機電界発光（ＯＬＥＤ）素子２０の第１電極２１が、直接バリア層あるいは平坦化層１７の一部上表面に設けられかつ第１電極２１の一部上表面には有機発光ユニット２３及び第２電極２５が、この順序に設けられ、第１電極２１及び第２電極２５を介して電流を通すことで、有機発光ユニット２３から白色光源Ｓが放射されるようになっている。この白色光源Ｓが、カラーフィルタ層１５を透過することで、光の濾過作用により所定の緑（Ｇ）、青（Ｂ）、赤（Ｒ）の三原色Ｌ１、Ｌ２、Ｌ３となって出射される。そしてこれらを組み合わせることで有機電界発光表示装置２００のフルカラー表示の目的が達成される。
【０００５】
カラーフィルタ１０を使用することによって、前記ＯＬＥＤ表示装置２００では単に一種の白色光源Ｓを発生する有機発光ユニット２３のみを必要とするために、蒸着工程数も比較的少なくて済むこととなり、蒸着あるいはマスキング工程の際における位置決め難度を和らげることができる。しかしながら、白色光源Ｓのカラーフィルタ層１５に対する透過率はよくないので、ＯＬＥＤ表示装置２００の発光輝度及びカラーサチュレーションに影響を及ぼすことになる。すなわち、このために発光品質を有効に向上させることができなくなる。
【０００６】
そこで、前記従来の技術が抱える問題点に対して、如何に有効に蒸着及び位置決め難度を低減させることで製品歩留りの向上に寄与し、さらに光源透過率と、カラーサチュレーション及び表示のカラーレベル向上効果を兼ね備える新たな有機電界発光表示装置を設計するかが、本発明の重点である。
【発明の目的】
【０００７】
本発明の主要目的は、比較的少ない回数の蒸着及びマスキング工程でフルカラー化表示効果の実現を達成することができ、製造工程を簡便化できるばかりでなく、蒸着あるいはマスク使用の際における位置決め精度の要求をも和らげることができかつこれによって、製品歩留りを有効に向上し得る表示のカラーレベル向上可能の有機電界発光表示装置を提供することにある。
【０００８】
本発明の次の目的は、第１色光と、第２色光と、第３色光とを白色光と混合させることにより、有機発光表示装置の表示光源のカラーレベル及びカラーサチュレーションを向上し得る表示のカラーレベル向上可能の有機電界発光表示装置を提供することにある。
【０００９】
本発明の他の目的は、前記有機発光ユニットが生じる白色光源は、フォトレジストに対して好ましい透過率を備えていることにより、有効に前記有機電界発光表示装置の表示輝度を向上させ、電力消費を低減し、素子の寿命を延長させることができる表示のカラーレベル向上可能の有機電界発光表示装置を提供することにある。そこで、上記目的を達成するために、本発明では表示のカラーレベル向上可能の有機電界発光表示装置を提案する。その主要構造は、
基板上に設置され、少なくとも一つの第１フォトレジストと、少なくとも一つの第２フォトレジストと、少なくとも一つの第３フォトレジストと、少なくとも一つの第４フォトレジストとを含む第１カラーフィルタと、
第１カラーフィルタの一部表面に設置された第１電極と、
前記第１フォトレジストと第２フォトレジストと第４フォトレジストとの垂直延長位置に設置された前記第１有機発光ユニットと、前記第２フォトレジストと第３フォトレジストと第４フォトレジストとの垂直延長位置に設置された前記第２有機発光ユニットと、を含む有機発光ユニットと、
前記有機発光ユニットの表面に設置された第２電極と、を含む。
【発明の開示】
【発明の効果】
【００１０】
上記を総合すると、本発明は、表示のカラーレベル向上可能の有機電界発光表示装置に関し、特に、光源の透過率及び表示のカラーレベルを有効に向上できるばかりでなく、製造工程も有効に簡易化できかつ製品歩留りも向上できる有機電界発光表示装置に関するものであることが分る。よって、本発明は新規性、進歩性に富み、産業上の利用可能性を有するものである。
【００１１】
以上、本発明の好ましい実施例について説明したが、本発明はこれらに限定されるものではなく、当業者が本発明の思想と範囲を逸脱せずに、様々の変更と改善をなし得ることはもちろんである。それゆえ、本発明の保護範囲は添付クレームによって定義されたものと見なすべきである。
【発明を実施するための最良の形態】
【００１２】
以下、本発明の特徴、構造及びそれによって得られる効果を理解し易くするために、好ましい実施例及び添付図面について詳細に説明する。
【００１３】
先ず、図２は、本発明による有機電界発光表示装置の好ましい一実施例を示す断面概略図である。同図に示すように、本発明の有機電界発光表示装置４００は、主としてカラーフィルタ３０の上表面に少なくとも一つの有機電界発光素子４０が設けられてある。カラーフィルタ３０は、基板３１の上に設けられてある。カラーフィルタ３０は、基板３１の一部表面上に少なくとも一つのブラックマトリクス３３を含み、さらに、ブラックマトリクス３３の一部上表面及び前記基板３１の上でブラックマトリクス３３が設けられていない一部上表面には、光濾過機能を有する第１カラーフィルタ層３５（またはフォトレジストとも言う）が設けられてある。前記第１カラーフィルタ層３５は、少なくとも一つの第１フォトレジスト３５１と、少なくとも一つの第２フォトレジスト３５３と、少なくとも一つの第３フォトレジスト３５５と、少なくとも一つの第４フォトレジスト３６１とが設けられてある。その中で、前記第４フォトレジスト３６１は、透光部あるいは空洞部とすることができかつブラックマトリクス３３とカラーフィルタ層３５との上方は、平坦バリアユニット３７で被覆されている。例えば、平坦化層（ｏｖｅｒ ｃｏａｔ）、バリア層あるいはその両者で被覆されている。また、前記空洞部内に前記平坦バリアユニット３７を設けることもできる。
【００１４】
前記カラーフィルタ３０の平坦バリアユニット３７の上表面一部領域には、少なくとも一つのＯＬＥＤ素子４０の第１電極４１が設けられかつ前記第１電極４１の一部上表面には、有機発光ユニット４３と、第２電極４５とがこの順序で設けられてある。ここで、前記有機発光ユニット４３は、少なくとも一つの第１有機発光ユニット４３１と、少なくとも一つの第２有機発光ユニット４３７とが設けられ、第１電極４１と第２電極４５の間に作動電流を印加したとき、前記第１有機発光ユニット４３１が第１光源Ｓ１を生じ、第２有機発光ユニット４３７が第２光源Ｓ２を生じるようになっている。また、前記第１光源Ｓ１と第２光源Ｓ２同士は相補性光源である。
【００１５】
また、前記第１有機発光ユニットと、第２有機発光ユニットとは、単一画素（ｓｉｎｇｌｅ ｐｉｘｅｌ）内ではすべてが三つの副画素の上方に設置されている。例えば、第１有機発光ユニット４３１は、カラーフィルタ３０の第１フォトレジスト３５１と第２フォトレジスト３５３と第４フォトレジスト３６１との垂直延長位置における一部の第１電極４１の上表面に設置され、第２有機発光ユニット４３７は、カラーフィルタ３０の第３フォトレジスト３５５の垂直延長位置における第１電極４１の上表面と、第２フォトレジスト３５３と第４フォトレジスト３６１との垂直延長位置の上部における第１有機発光ユニット４３１の上表面とに設置されている。
【００１６】
このようにすることで、前記第１有機発光ユニット４３１が発生する第１光源Ｓ１が、第１フォトレジスト３５１を透過し、かつ濾過されて第１色光Ｌ１を生じ、第２有機発光ユニット４３７が発生する第２光源Ｓ２が、第３フォトレジスト３５５を透過後、濾過されて第３色光Ｌ３を生じることになる。また、前記第２フォトレジスト３５３と、第４フォトレジスト３６１との垂直延長位置における第１電極４１の上表面は、重ね方式で設置された第１有機発光ユニット４３１及び第２有機発光ユニット４３７であって、第３光源Ｓ３を発生するようになっている。この第３光源Ｓ３が第２フォトレジスト３５３を透過した後は、濾過されて第２色光Ｌ２となり、第４フォトレジスト３６１を透過した後は、前記の如く第４フォトレジスト３６１が異なるために異なるカラーの光に濾過されることになる。例えば、前記第４フォトレジスト３６１が透光部あるいは空洞部を選択した場合では、前記第３光源Ｓ３が直接前記第４フォトレジスト３６１（透光部あるいは空洞部）を透過して、前記第３光源Ｓ３の元来のカラーを維持することになる。
【００１７】
前記第３光源Ｓ３の光色は、第１有機発光ユニット４３１及び第２有機発光ユニット４３７が生じる第１光源Ｓ１及び第２光源Ｓ２の選択如何によって異なる、例えば、第１光源Ｓ１及び第２光源Ｓ２が、相補性光源を選択した場合では、前記第３光源Ｓ３は白色光源となる。
【００１８】
また、本発明の一実施例においては、前記第１有機発光ユニット４３１が生じる第１光源Ｓ１は、青色光源とし、第２有機発光ユニット４３７が生じる第２光源Ｓ２は、前記第１光源Ｓ１の補色光、例えば、オレンジ色光源あるいは黄色光源とすることできる。そうすれば、前記重ねられた第１有機発光ユニット４３１及び第２有機発光ユニット４３７の部分が生じる第３光源Ｓ３が、白色光源となり、さらに、前記第１フォトレジスト３５１、第２フォトレジスト３５３、第３フォトレジスト３５５と、第４フォトレジスト３６１とをそれぞれ青色レジスト（３５１）Ｂ、緑色レジスト（３５３）Ｇ、赤色レジスト（３５５）Ｒ、及び透光部（３６１）あるいは空洞部とすることで、前記第１光源Ｓ１（青色光）が第１フォトレジスト３５１（青色レジスト）を透過した後、濾過されて第１色光Ｌ１（青色光）を生じ、第２光源Ｓ２（オレンジ色光）が第３フォトレジスト３５５（赤色レジスト）を透過後、濾過されて第３色光Ｌ３（赤色光）となり、第３光源Ｓ３（白色光）が第２フォトレジスト３５３（緑色レジスト）を透過後、濾過されて第２色光Ｌ２（緑光）となり、また、前記第３光源Ｓ３が直接前記第４フォトレジスト３６１（空洞部あるいは透光部）を透過して、第４色光Ｌ４（白色光）を形成するようになっている。
【００１９】
また、前記第１カラーフィルタ層３５のうちの第２フォトレジスト３５３と、第４フォトレジスト３６１の設置位置は、交換することができる。このようにしても、同様に光濾過の目的が達成される。当然のことながら、本発明の他の一実施例では、前記第１有機発光ユニット４３１が生じる第１光源Ｓ１は、赤色光源あるいは緑色光源とすることができる。そうすると、前記第２有機発光ユニット４３７が生じる第２光源Ｓ２がそれぞれ青緑色光源あるいは紫色光源となりかつ前記第１フォトレジスト３５１と、第２フォトレジスト３５３と、第３フォトレジスト３５５と、第４フォトレジスト３６１との設置位置もそれに伴って変更させることによってＯＬＥＤ表示装置４００のフルカラー表示の目的を達成することができる。
【００２０】
また、第４フォトレジスト３６１が空洞部あるいは透光部である場合では、前記第３光源Ｓ３（白色光源）は直接第４フォトレジスト３６１を透過して、第４色光Ｌ４（白色光）を形成する。これにより、前記ＯＬＥＤ表示装置４００の表示時におけるカラーレベルの向上に寄与することができる。
【００２１】
前記第１有機発光ユニット４３１と、第２有機発光ユニット４３７の設置順序は、変更することができる。例えば、先ず第２フォトレジスト３５３と、第３フォトレジスト３５５と、第４フォトレジスト３６１との垂直延長位置における第１電極４１の上表面に前記第２有機発光ユニット４３７設置した後、さらに、前記第２フォトレジスト３５３と、第４フォトレジスト３６１との垂直延長位置における第２有機発光ユニット４３７の上表面と、第１フォトレジスト３５１の垂直延長位置における第１電極４１の上表面とに前記第１有機発光ユニット４３１を設置することができる。
【００２２】
次に、図３を参照して、図３は、本発明による他の実施例を示す断面概略図である。同図に示すように、本発明の有機電界発光（ＯＬＥＤ）表示装置４０１は、主として基板３２の上表面に少なくとも有機電界発光素子４０が設けられ、さらに、前記基板３２のＯＬＥＤ素子４０が設けられていない一部の上表面にはパッキンカバー３９を設けて前記ＯＬＥＤ素子４０を保護するようにされている。ここで、前記パッキンカバー３９の一部ボトム層には少なくともブラックマトリクス３３が設けられ、さらに、ブラックマトリクス３３の一部上表面及び前記ブラックマトリクス３３が設けられていないパッキンカバー３９のボトムには、光濾過機能を有する第２カラーフィルタ層３４（フォトレジスト）が設けられてある。それは、主として第１フォトレジスト３４１と、第２フォトレジスト３４３と、第３フォトレジスト３４５と、第４フォトレジスト３６２とからなるものである。
【００２３】
前記第２カラーフィルタ層３４の垂直下方延長位置における基板３２の上表面には、少なくとも第１電極４１が設けられ、さらに、前記第１フォトレジスト３４１及び第４フォトレジスト３６２の垂直延長位置における第１電極４１の上表面には、前記第１有機発光ユニット４３１が設けられ、前記第２フォトレジスト３４３と、第３フォトレジスト３４５と、第４フォトレジスト３６２との垂直延長位置の上部には、前記第２有機発光ユニット４３７が設けられ、また、一部の第２有機発光ユニット４３７と、第１有機発光ユニット４３１との上表面には、少なくとも第２電極４５が設けられてある。ここで、前記第２電極４５は、透光性の導電特性を有する材質から製作されたものを選択することができる。これにより、前記第１有機発光ユニット４３１が生じる第１光源Ｓ１と、第２有機発光ユニット４３７が生じる第２光源Ｓ２と、両方積層部分が生じる第３光源Ｓ３とは、前記第２電極４５と、前記パッキンカバー３９のボトム層の第２カラーフィルタ層３４とをこの順序で透過することにより、前記ＯＬＥＤ表示装置４０１の頂部発光（ｔｏｐ−ｅｍｉｓｓｉｏｎ）の目的を達成することができる。
【００２４】
また、前記基板３２と、前記第１電極４１との間に、図２に示すように、カラーフィルタ３０を設けることができる。これにより、前記第１光源Ｓ１と、第２光源Ｓ２と、第３光源Ｓ３とが同時にパッキンカバー３９及びカラーフィルタ３０を透過することにより、前記ＯＬＥＤ表示装置の両面発光の目的を達成することができる。
【００２５】
次に、図４を参照して、同図は本発明による他の実施例を示す断面概略図である。同図に示すように、本発明の有機電界発光表示装置４０３は、主としてカラーフィルタ３０の一部上表面に、第１有機発光ユニット４３１と、第２有機発光ユニット４３７とが設けられている。ここで、前記第１有機発光ユニット４３１は、第１フォトレジスト３５１と、第２フォトレジスト３５３と、第３フォトレジスト３５５と、第４フォトレジスト３６１それぞれの垂直延長位置に設けられている。前記第２有機発光ユニット４３７は、第２フォトレジスト３５３と、第３フォトレジスト３５５と、第４フォトレジスト３６１との垂直延長位置に設けられている。
【００２６】
また、前記有機発光ユニット４３が、電流を通すことによりカラー光源を発生する発光ユニットである。ここで、前記有機発光ユニット４３の内部は、それぞれ、選択的に正孔注入層４３２（ＨＩＬ）と、正孔輸送層４３３（ＨＴＬ）と、有機発光層（ＥＭＬ）と、電子輸送層４３８（ＥＴＬ）と、電子注入層４３９（ＥＩＬ）と、上記各エレメント組み合わせ式のうちの一つを含ませることができる。
【００２７】
本発明の一実施例では、前記有機発光層を設置する前に、前記第１電極４１の上表面に前記正孔注入層４３２と正孔輸送層４３３とをこの順序で設置した後に、前記正孔輸送層４３３の一部上表面に前記第１有機発光ユニット４３１の第１有機発光層４３１１を設け、さらに前記第１有機発光層４３１１の一部上表面に前記第２有機発光ユニット４３７の第４有機発光層４３７１を設け、そして、前記第１有機発光層４３１１及び第４有機発光層４３７１の上表面に前記電子輸送層４３８及び電子注入層４３９を設け、最後に前記電子注入層４３９の上表面に前記第２電極４５が設けられてある。
【００２８】
また、前記第１有機発光ユニット４３１と、第２有機発光ユニット４３７とは、単層型有機発光ユニットあるいは複数層積層型有機発光ユニットで構成されたもの、例えば、第１有機発光ユニット４３１を単層型有機発光ユニットであって、その内部に前記第１有機発光層４３１１を含むものを、第２有機発光ユニット４３７を複数層積層型有機発光ユニットであって、その内部に第２有機発光層４３４と第３有機発光層４３５とを積層したものを選択することができる。
【００２９】
また、図５は、本発明による他の実施例を示す断面概略図である。同図に示すように、本発明の有機電界発光（ＯＬＥＤ）表示装置４０５は、主としてカラーフィルタ３０の一部上表面に少なくともＯＬＥＤ素子４０が設けられてある。この実施例が図２に示す実施例と異なるところは、第３有機発光ユニット４３６を増設してあることである。
【００３０】
前記第３有機発光ユニット４３６は、第２フォトレジスト３５３の垂直延長位置における第１電極４１の上表面に設置することができる。これによって、第２フォトレジスト３５３の垂直延長位置の上部に、第３有機発光ユニット４３６と、第１有機発光ユニット４３１と、第２有機発光ユニット４３７との積層で第４光源Ｓ４を生じるようになっている。ここで、前記第１有機発光ユニット４３１と、第２有機発光ユニット４３７と、第３有機発光ユニット４３６の設置順序は、変更することができる。
【００３１】
また、前記第３有機発光ユニット４３６に使用できる材質は、ＯＬＥＤ発光表示装置４０５に生じさせる目的の表示光源によって異なる選択をすることができる。例えば、前記ＯＬＥＤ発光表示装置４０５が生ずる表示光源が緑色光欠乏の表示光源である場合では、前記第３有機発光ユニット４３６を第５光源発生のための有機発光ユニットとしかつ前記第５光源を緑色光源とし、さらに第２フォトレジスト３５３をこれに対応させて緑色レジストとすることにより、前記表示光源における緑色光源の表示輝度を増加させることができる。
【００３２】
また、図６は、本発明によるアクティブ有機電界発光表示装置を示す断面概略図である。同図に示すように、本発明の有機電界発光表示装置６０１は、アクティブ（ａｃｔｉｖｅ ｍａｔｒｉｘ）有機電界発光表示装置とすることができる。それは、主として基板５１の一部上表面に少なくとも一つの薄膜トランジスタ（ＴＦＴ）５３を設置し、さらに、前記基板５１と、前記薄膜トランジスタ５３との一部上表面が、少なくとも一つの絶縁層５４で被覆されている。ここで、前記絶縁層５４の内部には、少なくとも一つの第１フォトレジスト５５１と、第２フォトレジスト５５３と、第３フォトレジスト５５５と、第４フォトレジスト５６１とが設置されてある。また、前記絶縁層５４の一部上表面には、少なくとも一つの第１電極６１が設けられかつこの第１電極６１は、それぞれ対応する薄膜トランジスタ５３と電気的に接続されている。
【００３３】
また、第１フォトレジスト５５１と、第２フォトレジスト５５３と、第３フォトレジスト５５５と、第４フォトレジスト５６１との垂直延長位置の上部には、第１光源Ｓ１を生ずる第１有機発光ユニット６３１が設けられてある。前記第３フォトレジスト５５５及び第４フォトレジスト５６１の垂直延長位置の上部には、第２有機発光ユニット６３７が設けられてある。第１有機発光ユニット６３１と第２有機発光ユニット６３７は、積層されて第３光源Ｓ３を生じるようになっている。また、前記第１有機発光ユニット６３１及び第２有機発光ユニット６３７の上表面には、少なくとも一つの第２電極６５が設けられてある。
【００３４】
また、前記有機発光ユニット６３（第１有機発光ユニット６３１及び第２有機発光ユニット６３７）は、少なくとも一つの主発光体（ｈｏｓｔ ｅｍｉｔｔｅｒ；Ｈ）に少なくとも一種のドーパント（D）をドープしたドープト型有機発光層を使用しても、同様に第１光源Ｓ１及び第２光源Ｓ２を生じさせる目的を達成することができる。
【００３５】
また、図７は、本発明による他の実施例を示す断面概略図である。同図に示すように、本発明のアクティブ有機電界発光表示装置６０３は、主としてカラーフィルタ５０の上表面に、前記薄膜トランジスタ５３と、絶縁層５４とをこの順序で設置し、さらに、前記絶縁層５４の上表面に、前記第１電極６１と、有機発光ユニット６３と、第２電極６５とをこの順序で設置している。
【００３６】
ＯＬＥＤ表示装置６０３の単一画素は、第１フォトレジスト５５１と、第２フォトレジスト５５３と、第３フォトレジスト５５５と、第４フォトレジスト５６１とを含み、かつ前記第１フォトレジスト５５１と、第２フォトレジスト５５３と、第３フォトレジスト５５５と、第４フォトレジスト５６１とは、みな個別のに前記単一画素中のサブピクセル（副画素）上に設けられている。また、各フォトレジストの設置位置は変更することができる。さらに、各フォトレジストの設置位置を変化させた場合、前記第１有機発光ユニット６３１及び第２有機発光ユニット６３７の設置位置もこれに伴って変更する。例えば、前記第４フォトレジスト５６１は、フルカラーＯＬＥＤ表示装置の画素の中間における副画素の位置に限られることはない。本発明の一実施例では、前記第４フォトレジスト５６１は、両側における副画素の位置に設けられている。當然のことながら、第４フォトレジスト５６１の設置位置が変更されると同時に、前記第１フォトレジスト５５１と、第２フォトレジスト５５３及び第３フォトレジスト５５５の設置位置も変更することができる。
【００３７】
最後に、図８は、本発明による他の実施例を示す平面図である。同図に示すように、前記有機電界発光表示装置のカラーフィルタ５０上の第１フォトレジスト５５１と、第２フォトレジスト５５３と、第３フォトレジスト５５５と、第４フォトレジスト５６１の設置方式は、直線式配列とせずに、マトリクス方式配列（田字型）とすることができる。そうすることによって、各カラーの混色均一度を向上させることができかつ各フォトレジストの設置位置変更と同時に、前記第１有機発光ユニット６３１及び第２有機発光ユニット６３７の設置位置もこれに伴って変更させることができる。
【図面の簡単な説明】
【００３８】
【図１】従来の有機電界発光表示装置を示す断面概略図である。
【図２】本発明による有機電界発光表示装置の好ましい一実施例を示す断面概略図である。
【図３】本発明による他の実施例を示す断面概略図である。
【図４】本発明による他の実施例を示す断面概略図である。
【図５】本発明による他の実施例を示す断面概略図である。
【図６】本発明によるアクティブ有機電界発光表示装置を示す断面概略図である。
【図７】本発明による他の実施例を示す断面概略図である。
【図８】本発明による他の実施例を示す平面図である。
【符号の説明】
【００３９】
１０カラーフィルタ
１１基板
１３ブラックマトリクス
１５カラーフィルタ層
１７平坦化層
２０有機電界発光素子
２１第１電極
２３有機発光ユニット
２５第２電極
３０カラーフィルタ
３１基板
３２基板
３３ブラックマトリクス
３４第２カラーフィルタ層
３５第１カラーフィルタ層
３７平坦バリアユニット
３９パッキンカバー
４０有機電界発光素子
４１第１電極
４３有機発光ユニット
４５第２電極
５０カラーフィルタ
５１基板
５３薄膜トランジスタ
５４絶縁層
６１第１電極
６３有機発光ユニット
６５第２電極
１５１第１フォトレジスト
１５３第２フォトレジスト
１５５第３フォトレジスト
２００有機電界発光表示装置
３４１第１フォトレジスト
３４３第２フォトレジスト
３４５第３フォトレジスト
３５１第１フォトレジスト
３５３第２フォトレジスト
３５５第３フォトレジスト
３６１第４フォトレジスト
３６２第４フォトレジスト
４００有機電界発光表示装置
４０１有機電界発光表示装置
４０３有機電界発光表示装置
４０５有機電界発光表示装置
４３１第１有機発光ユニット
４３２正孔注入層
４３３正孔輸送層
４３４第２有機発光層
４３５第３有機発光層
４３６第３有機発光ユニット
４３７第２有機発光ユニット
４３８電子輸送層
４３９電子注入層
５５１第１フォトレジスト
５５３第２フォトレジスト
５５５第３フォトレジスト
５６１第４フォトレジスト
６０１アクティブ有機電界発光表示装置
６０３アクティブ有機電界発光表示装置
６３１第１有機発光ユニット
６３７第２有機発光ユニット
４３１１第１有機発光層
４３７１第４有機発光層
【図１】
2007073497.tif 000003
【図２】
2007073497.tif 000004
【図３】
2007073497.tif 000005
【図４】
2007073497.tif 000006
【図５】
2007073497.tif 000007
【図６】
2007073497.tif 000008
【図７】
2007073497.tif 000009
【図８】
2007073497.tif 000010